(57)【要約】【課題】浴室と浴室に隣接する他室を効率よく暖房する浴室暖房乾燥機を提供する。【解決手段】第１筐体３は、第１送風機５と、換気風路１０と、浴室循環風路８と、浴室ヒーター１２と、風路切替ダンパー１１を備え、第２筐体４は、第２送風機１５と、他室循環風路１７と、他室ヒーター２３を備え、制御手段１４は２室連携暖房モードを有し、２室連携暖房モードは、風路切替手段により換気風路の開口面積を一部確保して一部換気を行い、一部換気により浴室１と他室１６との間の連通口２８を介して他室の空気が浴室に流入する。【選択図】図１
2018141590.tif 000002
【特許請求の範囲】
【請求項１】
第１筐体と、第２筐体と、制御手段とを備えた浴室暖房乾燥機であって、
前記第１筐体は、
浴室側吸込口から吸い込んだ浴室の空気を送風する第１送風機と、
前記第１送風機により吸い込まれた空気を換気吹出口から外部へ吹き出す換気風路と、
前記第１送風機により吸い込まれた空気を浴室側吹出口から前記浴室へ吹き出す浴室循環風路と、
前記浴室循環風路内に設けられた浴室ヒーターと、
前記換気風路の開口面積と前記浴室循環風路の開口面積との割合を切り替える風路切替手段と、
を備え、
前記第２筐体は、
他室側吸込口から吸い込んだ他室の空気を送風する第２送風機と、
前記第２送風機により吸い込まれた空気を他室側吹出口から前記他室へ吹き出す他室循環風路と、
前記他室循環風路内に設けられた他室ヒーターと、
を備え、
前記制御手段は、前記第１送風機、前記風路切替手段、前記浴室ヒーター、前記第２送風機および前記他室ヒーターの制御を行うことによる２室連携暖房モードを有し、
前記２室連携暖房モードは、
前記風路切替手段により前記換気風路の開口面積を一部確保して、前記浴室の空気の一部を換気する一部換気を行い、
前記風路切替手段により、前記換気風路の開口面積を、前記換気風路および前記浴室循環風路の開口面積の和に対して３分の１未満にして、前記浴室ヒーターにより加熱された前記浴室の空気を前記浴室に循環させ、
前記他室ヒーターにより加熱された前記他室の空気を前記他室に循環させる、
というモードであり、
前記一部換気により、前記浴室と前記他室との間に設けられた連通口を介して、前記他室の空気の一部が前記浴室に流入する浴室暖房乾燥機。
【請求項２】
前記浴室の温度を検知する浴室温度センサーと、
前記他室の温度を検知する他室温度センサーと、を備え、
前記制御手段は、前記２室連携暖房モードにおいて、前記浴室温度センサーにより検知された浴室温度が前記他室温度センサーにより検知された他室温度より低い場合は、前記他室ヒーターの出力よりも前記浴室ヒーターの出力を大きくするよう制御する請求項１に記載の浴室暖房乾燥機。
【請求項３】
前記制御手段は、前記第１送風機、前記風路切替手段、前記浴室ヒーター、前記第２送風機および前記他室ヒーターの制御を行うことによる浴室循環モードをさらに有し、
前記浴室循環モードは、前記風路切替手段により前記換気風路を閉じ且つ前記浴室循環風路を開いて、前記浴室ヒーターにより加熱された前記浴室の空気を前記浴室に循環させるというモードである請求項１または２に記載の浴室暖房乾燥機。
【請求項４】
前記制御手段は、前記第１送風機、前記風路切替手段、前記浴室ヒーター、前記第２送風機および前記他室ヒーターの制御を行うことによる浴室循環モードをさらに有し、
前記浴室循環モードは、前記風路切替手段により前記換気風路を閉じ且つ前記浴室循環風路を開いて、前記浴室ヒーターにより加熱された前記浴室の空気を前記浴室に循環させるというモードであり、
さらに前記制御手段は、前記浴室温度が前記他室温度より高い場合、前記浴室循環モードを行う請求項２に記載の浴室暖房乾燥機。
【請求項５】
前記制御手段は、前記第１送風機、前記風路切替手段、前記浴室ヒーター、前記第２送風機および前記他室ヒーターの制御を行うことによる浴室循環モードをさらに有し、
前記浴室循環モードは、前記風路切替手段により前記換気風路を閉じ且つ前記浴室循環風路を開いて、前記浴室ヒーターにより加熱された前記浴室の空気を前記浴室に循環させるというモードであり、
さらに前記制御手段は、前記浴室循環モードにおいて、前記浴室温度が前記他室温度より高い場合は、前記浴室ヒーターの出力よりも前記他室ヒーターの出力を大きくするよう制御する請求項２に記載の浴室暖房乾燥機。
【請求項６】
前記他室側吹出口の下流において、風向切替部を有する他室側吹出パネルを備え、
前記風向切替部は前記他室へ吹き出す空気の方向を変更し、
前記制御手段は、前記２室連携暖房モードにおいて、前記他室側吹出パネルから前記他室へ吹き出される空気が前記連通口に向かうよう前記風向切替部の方向を制御する請求項１〜５のいずれか１項に記載の浴室暖房乾燥機。
【請求項７】
前記２室連携暖房モードにおいて、前記換気風路の開口面積が、前記換気風路および前記浴室循環風路の開口面積の和に対して、１％〜２０％である請求項１〜６のいずれか１項に記載の浴室暖房乾燥機。
【請求項８】
前記制御手段は、前記第１送風機、前記風路切替手段および前記浴室ヒーターの制御を行うことによる浴室乾燥モードをさらに有し、
前記浴室乾燥モードは、前記風路切替手段により、前記換気風路の開口面積を、前記換気風路および前記浴室循環風路の開口面積の和に対して３分の１以上にして、前記浴室ヒーターにより加熱された前記浴室の空気を前記浴室に循環させ、且つ循環されない前記浴室の空気を換気させるというモードであり、
循環されない前記浴室の空気を換気することにより、前記連通口を介して、前記他室の空気の一部が前記浴室に流入する請求項１〜７のいずれか１項に記載の浴室暖房乾燥機。
【請求項９】
前記制御手段は、前記第１送風機、前記風路切替手段および前記浴室ヒーターの制御を行うことによる純換気モードをさらに有し、
前記純換気モードにおいて、前記換気風路の開口面積が、前記換気風路および前記浴室循環風路の開口面積の和に対して、１００％である請求項１〜８のいずれか１項に記載の浴室暖房乾燥機。
【請求項１０】
前記浴室の温度を検知する浴室温度センサーと、
前記他室の温度を検知する他室温度センサーと、を備え、
前記制御手段は、前記第１送風機、前記風路切替手段、前記浴室ヒーター、前記第２送風機および前記他室ヒーターの制御を行うことによる浴室循環モードをさらに有し、
前記浴室循環モードは、前記風路切替手段により前記換気風路を閉じ且つ前記浴室循環風路を開いて、前記浴室ヒーターにより加熱された前記浴室の空気を前記浴室に循環させるというモードであり、
さらに前記浴室循環モードは、２室独立暖房モードを含み、
前記２室独立暖房モードは、
前記風路切替手段により前記換気風路を閉じ且つ前記浴室循環風路を開いて、前記浴室ヒーターにより加熱された前記浴室の空気を前記浴室に循環させ、
前記他室ヒーターにより加熱された前記他室の空気を前記他室に循環させる、
というモードであり、
操作者により前記２室独立暖房モードが選択された後、前記浴室温度センサーにより検知された浴室温度が前記他室温度センサーにより検知された他室温度より低い場合、前記制御手段により前記２室独立暖房モードから前記２室連携暖房モードへ移行する請求項１に記載の浴室暖房乾燥機。
【発明の詳細な説明】
【技術分野】
【０００１】
本発明は、入浴時に浴室および浴室に隣接する他室を暖房し、あるいは入浴後は浴室内を乾燥させる機能を備えた浴室暖房乾燥機に関する。
【背景技術】
【０００２】
天井面等に浴室暖房乾燥機を備えた浴室では、気温が低い場合に浴室内が暖房され、入浴後は浴室内を速やかに乾燥させる機能を備えたものがある。
【０００３】
このような浴室暖房乾燥機に、浴室に隣接する他室（例えば脱衣室等）を並行して暖房する機能を備えたものがある。
【０００４】
上記従来技術に関連する先行文献として、特許文献１が知られている。
【先行技術文献】
【特許文献】
【０００５】
【特許文献１】特許第３１２９９９３号公報
【発明の概要】
【発明が解決しようとする課題】
【０００６】
天井面等に設置される筐体内に熱源を備える浴室暖房乾燥機、例えば送風機が収容される筐体と同一の筐体内に電気ヒーターを備え、その電気ヒーターを熱源として浴室および他室を暖房する浴室乾燥暖房機では、設置規格によりヒーターの熱容量すなわち最大消費電力に制限がある。
【０００７】
このため、厳寒時等に浴室および他室を急速に暖房したい場合に、浴室および他室を迅速に暖房することができないおそれがある。
【０００８】
本発明は、上記課題を解決するためになされたものであって、その目的は、浴室と浴室に隣接する他室を効率よく暖房し得る浴室暖房乾燥機を提供することにある。
【課題を解決するための手段】
【０００９】
上記課題を解決するために、本発明の一態様に係る浴室暖房乾燥機は、第１筐体と、第２筐体と、制御手段とを備えた浴室暖房乾燥機であって、前記第１筐体は、浴室側吸込口から吸い込んだ浴室の空気を送風する第１送風機と、前記第１送風機により吸い込まれた空気を換気吹出口から外部へ吹き出す換気風路と、前記第１送風機により吸い込まれた空気を浴室側吹出口から前記浴室へ吹き出す浴室循環風路と、前記浴室循環風路内に設けられた浴室ヒーターと、前記換気風路の開口面積と前記浴室循環風路の開口面積との割合を切り替える風路切替手段と、を備え、前記第２筐体は、他室側吸込口から吸い込んだ他室の空気を送風する第２送風機と、前記第２送風機により吸い込まれた空気を他室側吹出口から前記他室へ吹き出す他室循環風路と、前記他室循環風路内に設けられた他室ヒーターと、を備え、前記制御手段は、前記第１送風機、前記風路切替手段、前記浴室ヒーター、前記第２送風機および前記他室ヒーターの制御を行うことによる２室連携暖房モードを有し、前記２室連携暖房モードは、前記風路切替手段により前記換気風路の開口面積を一部確保して、前記浴室の空気の一部を換気する一部換気を行い、前記風路切替手段により、前記換気風路の開口面積を、前記換気風路および前記浴室循環風路の開口面積の和に対し３分の１未満にして、前記浴室ヒーターにより加熱された前記浴室の空気を前記浴室に循環させ、前記他室ヒーターにより加熱された前記他室の空気を前記他室に循環させる、というモードであり、前記一部換気により、前記浴室と前記他室との間に設けられた連通口を介して前記他室の空気の一部が前記浴室に流入する。
【発明の効果】
【００１０】
本発明の浴室暖房乾燥機によれば、浴室と浴室に隣接する他室を効率よく暖房することができる。
【図面の簡単な説明】
【００１１】
【図１】浴室暖房乾燥機が設置される浴室および隣接する他室を示す概略図。
【図２】他室側吹出パネルを示す概略図。
【図３】浴室暖房乾燥機の電気的構成を示すブロック図。
【図４】浴室暖房乾燥機の動作を示すフローチャート。
【図５】浴室暖房乾燥機の動作を示すフローチャート。
【図６】浴室暖房乾燥機の動作を示すフローチャート。
【図７】浴室暖房乾燥機の動作を示すフローチャート。
【図８】浴室暖房乾燥機の動作を示すフローチャート。
【図９】浴室暖房乾燥機の動作を示すフローチャート。
【図１０】浴室暖房乾燥機の動作を示すフローチャート。
【図１１】浴室暖房乾燥機の動作を示す概略図。
【図１２】浴室暖房乾燥機の動作を示す概略図。
【図１３】浴室暖房乾燥機の動作を示す概略図。
【図１４】浴室暖房乾燥機の動作を示す概略図。
【発明を実施するための形態】
【００１２】
以下、浴室暖房乾燥機の一実施形態を図面に従って説明する。
【００１３】
図１に示すように、浴室１の天井裏２には浴室暖房乾燥機を構成する第１筐体３と第２筐体４が設置されている。第１筐体３内にはモータによりファンが回転駆動される第１送風機５が設けられている。そして、第１送風機５が作動すると、第１筐体３の下面において浴室１内に開口する浴室側吸込口６から浴室１内の空気が第１筐体３内に吸入される。
【００１４】
第１筐体３には、第１送風機５の送風口に連通して、浴室１に向かって開口する浴室側吹出口７に連通する浴室循環風路８と、浴室循環風路８から分岐して浴室１外に開口する換気吹出口９に連通する換気風路１０が設けられている。
【００１５】
浴室循環風路８と換気風路１０との分岐部には、風路切替手段として風路切替ダンパー１１が設けられている。風路切替ダンパー１１は、モータの駆動力により回動され、その回動動作に基づいて、浴室循環風路８および換気風路１０の開口面積が調整される。そして、第１送風機５から浴室循環風路８および換気風路１０に送風される風量が調節される。
【００１６】
浴室循環風路８には、浴室側吹出口７の近傍に浴室ヒーター１２が設けられる。浴室ヒーター１２は、浴室側吹出口７から浴室１内に送風される空気を加熱する。
【００１７】
第１筐体３内において、浴室側吸込口６の近傍には浴室温度センサー１３が設けられ、浴室１から吸込まれる空気の温度を検出し、その検出信号を第１筐体３の上方に設けられる制御手段１４に出力する。
【００１８】
第２筐体４内にはモータによりファンが回転駆動される第２送風機１５と他室循環風路１７が設けられている。第２送風機１５は、浴室１に隣接する脱衣所等の他室１６の空気を吸込み、吸い込んだ空気を、他室循環風路１７を経て他室１６に送風する。
【００１９】
他室循環風路１７の一端には他室側吸込口１８が設けられ、その他室側吸込口１８は連通管１９を介して他室１６に開口されている。他室循環風路１７の他端には他室側吹出口２０が形成され、その他室側吹出口２０は連通管２１を介して他室１６に開口されている。
【００２０】
他室循環風路１７において、他室側吸込口１８の近傍には他室温度センサー２２が設けられ、他室１６から吸込まれる空気の温度を検出し、その検出信号を制御手段１４に出力する。
【００２１】
また、他室循環風路１７において、他室側吹出口２０の近傍に他室ヒーター２３が設けられる。他室ヒーター２３は、他室側吹出口２０から他室１６内に送風される空気を加熱する。
【００２２】
また、他室１６の下方には、他室１６と浴室１との間で空気の流通を可能とするがらり板が連通口２８として設けられている。
【００２３】
図２に示すように、他室１６において、連通管２１の開口部には他室側吹出パネル２４が設けられ、その他室側吹出パネル２４に風向切替部２５が設けられている。風向切替部２５には、モータの動作により角度調節可能としたルーバー２６が設けられている。そして、制御手段１４により制御されるモータによりルーバー２６の角度が図２に示す状態に回動されると、連通管２１から送風される空気が連通口２８すなわち他室１６の斜め下方に向かって送風される。
【００２４】
図１に示すように、他室１６の壁面には操作部２７が設けられている。操作部２７は、浴室暖房乾燥機の起動、あるいは動作モード等種々の設定を行う場合に使用され、その操作信号は制御手段１４に出力される。
【００２５】
次に、上記のような浴室暖房乾燥器の電気的構成を図３に従って説明する。
【００２６】
制御手段１４には操作部２７が接続され、操作部２７の操作により制御手段１４はあらかじめ設定されたプログラムに基づいて、２室連携暖房モード、浴室循環モード、浴室乾燥モード、純換気モード、２室独立暖房モード等の制御動作を行う。また、制御手段１４には各モードでの動作時間を計測するタイマーが搭載されている。
【００２７】
制御手段１４は、第１筐体３内の第１送風機５、風路切替ダンパー１１、浴室ヒーター１２、浴室温度センサー１３に接続され、上記各モードにおいて、これらをあらかじめ設定されたプログラムに基づいて制御し、浴室温度センサー１３の検出信号を受信する。
【００２８】
制御手段１４は、第２筐体４内の第２送風機１５、他室温度センサー２２、他室ヒーター２３に接続され、上記各モードにおいて、これらをあらかじめ設定されたプログラムに基づいて制御し、他室温度センサー２２の検出信号を受信する。
【００２９】
制御手段１４は風向切替部２５に接続され、上記各モードにおいてあらかじめ設定されたプログラムに基づいてルーバー２６の角度を制御する。
【００３０】
次に、上記のように構成された浴室暖房乾燥機の作用を説明する。
【００３１】
［２室連携暖房モード］
２室連携暖房モードとは、風路切替ダンパー１１により換気風路１０と浴室循環風路８の開口面積の比を１：９とし、浴室１において一部換気を行うことで、他室ヒーター２３により加熱された他室１６の空気を浴室１に導入し、浴室１を暖房するモードである。
【００３２】
図４は、浴室温度センサー１３および他室温度センサー２２を備えた浴室暖房乾燥機が２室連携暖房モードで動作する場合を示す。操作者による操作部２７の操作により、２室連携暖房モードが開始されると、制御手段１４により風路切替ダンパー１１が制御され、換気風路１０と浴室循環風路８の開口面積の比が１：９となるように制御される。また、第１送風機５および第２送風機１５が運転されるとともに、浴室ヒーター１２および他室ヒーター２３が同一の出力で運転される（ステップ１）。
【００３３】
すると、図１に示すように、第１送風機５で浴室１から吸込まれた空気は、浴室循環風Ａ１として浴室循環風路８から浴室１内に送風されるとともに、換気風Ａ２として換気風路１０から浴室１外へ換気される。浴室循環風Ａ１と換気風Ａ２の風量比は９：１である。浴室循環風Ａ１は、浴室ヒーター１２により加熱されて浴室１内に送風される。
【００３４】
また、第２送風機１５の動作により、他室１６から吸込まれた空気が他室ヒーター２３で加熱されて、他室１６に他室循環風Ａ３として送風される。この時、風向切替部２５のルーバー２６は、図２に示すように斜め方向に回動され、他室循環風Ａ３が風向切替部２５から他室１６の下方すなわち連通口２８に向かって送風される。
【００３５】
また、換気風Ａ２の送風により、浴室１内は負圧となるため、他室１６内の他室循環風Ａ３の一部が連通口２８から浴室１内に負圧風Ａ４として流入する。従って、浴室１内の空気は、浴室ヒーター１２および他室ヒーター２３により連携して加熱される。
【００３６】
この状態で、制御手段１４は浴室温度センサー１３と他室温度センサー２２の検出信号に基づいて、浴室温度と他室温度を比較する（ステップ２）。そして、浴室温度が他室温度より高い場合には、ステップ１の動作を継続する。
【００３７】
ステップ２において、浴室温度が他室１６温度より低い場合には、ステップ３に移行して、制御手段１４により、浴室ヒーター１２と他室ヒーター２３の出力比を２：１として運転される。この結果、浴室１内の空気が急速に加熱される。
【００３８】
そして、制御手段１４はタイマーによりステップ２の動作を所定時間継続した後に、２室連携暖房モードを終了する（ステップ４）。
【００３９】
［浴室循環モード］
図５は、浴室暖房乾燥機が浴室循環モードで動作する場合を示す。操作者による操作部２７の操作により、浴室循環モードが選択されると、制御手段１４は風路切替ダンパー１１を動作させて換気風路１０を閉じ、換気風路１０と浴室循環風路８の開口面積の比を０：１０とする。そして、第１送風機５および浴室ヒーター１２が運転される（ステップ５）。
【００４０】
すると、図１１に示すように、第１送風機５で浴室１から吸込まれた空気は、浴室ヒーター１２で加熱され、浴室循環風Ａ１として浴室１内に送風される。このような動作により浴室１内の空気が加熱される。
【００４１】
そして、あらかじめ設定された所定時間が経過すると、浴室循環モードを終了する（ステップ６）。
【００４２】
ステップ５において、第２送風機１５および他室ヒーター２３を運転して、他室１６内の空気を加熱するようにするモードとしてもよい。この場合には、浴室ヒーター１２と他室ヒーター２３の出力比が１：１に設定される。
【００４３】
［２室連携暖房モード＋浴室循環モード］
図６は、浴室暖房乾燥機が、浴室温度と他室温度に基づいて、２室連携暖房モードから浴室循環モードに自動的に切り替わる場合の動作を示す。
【００４４】
図４に示すステップ１と同様な動作で２室連携暖房モードが開始された後（ステップ７）、制御手段１４は浴室温度センサー１３と他室温度センサー２２の検出信号に基づいて、浴室温度と他室温度を比較する（ステップ８）。そして、浴室温度が他室温度より低い場合には、ステップ７の動作すなわち２室連携暖房モードの動作を継続する。
【００４５】
この状態では、図１２に示すように、第１送風機５で浴室から吸込まれた空気は、浴室循環風Ａ１として浴室循環風路８から浴室１内に送風されるとともに、換気風Ａ２として換気風路１０から浴室１外へ換気される。浴室循環風Ａ１と換気風Ａ２の風量比は９：１である。浴室循環風Ａ１は、浴室ヒーター１２により加熱されて浴室１内に送風される。
【００４６】
また、第２送風機１５の動作により、他室１６から吸込まれた空気が他室ヒーター２３で加熱されて、他室１６に他室循環風Ａ３として送風される。この時、風向切替部２５のルーバー２６は斜め方向に回動され、他室循環風Ａ３が風向切替部２５から連通口２８すなわち他室１６の下方に向かって送風される
また、換気風Ａ２の送風により、浴室１内は負圧となるため、他室１６内の他室循環風Ａ３の一部が連通口２８から浴室１内に負圧風Ａ４として流入する。従って、浴室１内の空気は、浴室ヒーター１２および他室ヒーター２３により連携して加熱される。
【００４７】
ステップ８で、浴室温度が他室温度より高い場合には、２室連携暖房モードの動作を終了し、浴室循環モードに移行する。
【００４８】
そして、ステップ９で図５に示すステップ５と同様な制御を行い、あらかじめ設定された所定時間が経過した後、浴室循環モードを終了する（ステップ１０）。
【００４９】
このような動作により、浴室温度が他室温度より高くなった場合には、図１１に示す浴室循環モードの動作に移行することにより、浴室１の空気が速やかに加熱される。
【００５０】
［浴室循環モード＋他室高速暖房］
図７は、浴室暖房乾燥機が、浴室循環モードにおいて、他室１６を高速に暖房する機能を備えた場合の動作を示す。
【００５１】
浴室循環モードの動作が開始されると、ステップ１１で図５に示すステップ５に同様な制御が行われる。ステップ１１では他室ヒーター２３が浴室ヒーター１２と同一の出力で運転される。
【００５２】
この状態で、制御手段１４は浴室温度センサー１３と他室温度センサー２２の検出信号に基づいて、浴室温度と他室温度を比較する（ステップ１２）。そして、浴室温度が他室温度より低い場合には、ステップ１１の動作すなわち浴室循環モードの動作を継続する。
【００５３】
ステップ１２で、浴室温度が他室温度より高い場合には、ステップ１３に移行する。すなわち、浴室１側の暖房動作を継続した状態で他室ヒーター２３の出力を浴室ヒーター１２の２倍として動作させる。
【００５４】
そして、あらかじめ設定された所定時間が経過した後、浴室循環モードを終了する（ステップ１４）。
【００５５】
このような動作により、浴室循環モードで浴室１の温度が他室１６の温度より高くなった場合には、他室ヒーター２３の出力を上げることにより、他室１６の温度が速やかに引き上げられる。
【００５６】
［純換気モード］
図８は、浴室暖房乾燥機の純換気モードでの動作を示す。純換気モードが開始されると、制御手段１４により風路切替ダンパー１１が制御され、換気風路１０と浴室循環風路８の開口面積の比が１０：０となるように制御される。また、第１送風機５が運転されるとともに、第２送風機１５が停止され、浴室ヒーター１２および他室ヒーター２３が停止される（ステップ１５）。
【００５７】
すると、図１４に示すように、第１送風機５で浴室１から吸込まれた空気は、すべて換気風Ａ２として換気風路１０から浴室１外へ換気されるとともに、浴室１内は負圧となるため、他室１６から連通口２８を介して浴室１内に負圧風Ａ４が流入する。
【００５８】
そして、制御手段１４はタイマーによりステップ１５の動作を所定時間継続した後に、純換気モードを終了する（ステップ１６）。このような動作により、浴室１内の空気が換気される。
【００５９】
［２室独立暖房モード＋２室連携暖房モード］
図９は、浴室暖房乾燥機が、浴室温度と他室温度に基づいて、２室独立暖房モードから２室連携暖房モードに自動的に切り替わる場合の動作を示す。
【００６０】
２室独立暖房モードが開始されると、制御手段１４により風路切替ダンパー１１が制御され、換気風路１０と浴室循環風路８の開口面積の比が０：１０となるように制御される。また、第１送風機５および第２送風機１５が運転されるとともに、浴室ヒーター１２および他室ヒーター２３が同一の出力で運転される（ステップ１７）。
【００６１】
すると、第１送風機５で浴室１から吸込まれた空気は、すべて浴室循環風Ａ１として浴室循環風路８から浴室１内に送風される。浴室循環風Ａ１は、浴室ヒーター１２により加熱されて浴室１内に送風される。
【００６２】
また、第２送風機１５の動作により、他室１６から吸込まれた空気が他室ヒーター２３で加熱されて、他室１６に他室循環風Ａ３として送風される。このような動作により、浴室１と他室１６は、浴室ヒーター１２と他室ヒーター２３によりそれぞれ独立して暖房される。
【００６３】
この状態で、制御手段１４は浴室温度センサー１３と他室温度センサー２２の検出信号に基づいて、浴室温度と他室温度を比較する（ステップ１８）。そして、浴室温度が他室温度より高い場合には、ステップ１７の動作を継続する。
【００６４】
ステップ１８において、浴室温度が他室温度より低い場合には、２室独立暖房モードを終了して、２室連携暖房モードに移行する。
【００６５】
そして、図４に示すステップ１と同様に、制御手段１４により風路切替ダンパー１１が制御され、換気風路１０と浴室循環風路８の開口面積の比が１：９となるように制御される。また、第１送風機５および第２送風機１５が運転されるとともに、浴室ヒーター１２および他室ヒーター２３が同一の出力で運転される（ステップ１９）。
【００６６】
すると、図１に示すように、第１送風機５で浴室１から吸込まれた空気は、浴室循環風Ａ１として浴室循環風路８から浴室１内に送風されるとともに、換気風Ａ２として換気風路１０から浴室１外へ換気される。浴室循環風Ａ１と換気風Ａ２の風量比は９：１である。浴室循環風Ａ１は、浴室ヒーター１２により加熱されて浴室１内に送風される。
【００６７】
また、第２送風機１５の動作により、他室１６から吸込まれた空気が他室ヒーター２３で加熱されて、他室１６に他室循環風Ａ３として送風される。この時、風向切替部２５のルーバー２６は、図２に示すように斜め方向に回動され、他室循環風Ａ３が風向切替部２５から他室１６の下方すなわち連通口２８に向かって送風される。
【００６８】
また、換気風Ａ２の送風により、浴室１内は負圧となるため、他室１６内の他室循環風Ａ３の一部が連通口２８から浴室１内に負圧風Ａ４として流入する。従って、浴室１内の空気は、浴室ヒーター１２および他室ヒーター２３により連携して加熱される。
【００６９】
そして、制御手段１４はタイマーによりステップ１９の動作を所定時間継続した後に、２室連携暖房モードを終了する（ステップ２０）。
【００７０】
このような動作により、浴室温度が他室温度より高い場合には、浴室１と他室１６が浴室ヒーター１２と他室ヒーター２３によりそれぞれ独立して暖房されるので、浴室１が速やかに暖房される。
【００７１】
また、浴室温度が他室温度より低い場合には、浴室１が浴室ヒーター１２と他室ヒーター２３により速やかに暖房される。
【００７２】
［浴室乾燥モード］
図１０は、浴室暖房乾燥機の浴室乾燥モードでの動作を示す。
【００７３】
浴室乾燥モードが開始されると、制御手段１４により風路切替ダンパー１１が制御され、換気風路１０と浴室循環風路８の開口面積の比が１：２となるように制御される。また、第１送風機５が運転されるとともに第２送風機１５が停止され、浴室ヒーター１２が運転されて、他室ヒーター２３が停止される（ステップ２１）。
【００７４】
すると、図１３に示すように、第１送風機５で浴室１から吸込まれた空気は、浴室循環風Ａ１として浴室循環風路８から浴室１内に送風されるとともに、換気風Ａ２として換気風路１０から浴室１外へ換気される。浴室循環風Ａ１と換気風Ａ２の風量比は２：１である。浴室循環風Ａ１は、浴室ヒーター１２により加熱されて浴室１内に送風される。
【００７５】
また、換気風Ａ２の送風により、浴室１内は負圧となるため、他室１６内の空気が連通口２８から浴室１内に負圧風Ａ４として流入する。従って、浴室１内の空気は、浴室ヒーター１２により加熱され、かつ換気されることにより、湿度が下げられて乾燥する。
【００７６】
そして、制御手段１４はタイマーによりステップ２１の動作を所定時間継続した後に、浴室乾燥モードを終了する（ステップ２２）。
【００７７】
上記のような浴室暖房乾燥機では、次に示す効果を得ることができる。
【００７８】
（１）２室連携暖房モードでは、浴室１内の空気を浴室ヒーター１２で加熱することができるとともに、加熱された他室１６の空気の一部を連通口２８から浴室１に導入することができる。従って、浴室ヒーター１２および他室ヒーター２３の出力に基づいて浴室１の空気を加熱することができるので、浴室１の暖房効率、暖房速度を向上させることができる。
【００７９】
（２）２室連携暖房モードにおいて、浴室温度が他室温度より低い場合には、浴室ヒーター１２の出力を他室ヒーター２３の出力より大きくすることができる。従って、浴室温度と他室温度に応じて浴室ヒーター１２と他室ヒーター２３の出力を調整することができるので、浴室１の暖房効率、暖房速度を向上させることができるとともに、浴室温度が他室温度より高い場合には、他室ヒーター２３の出力を抑制することにより、無用な電力の消費を抑制することができる。
【００８０】
（３）浴室循環モードでは、換気風路１０を閉じて、第１送風機５で浴室１から吸込んだ空気のすべてを浴室ヒーター１２で加熱した後、浴室１内に送風することができる。従って、浴室１を速やかに暖房することができる。
【００８１】
（４）２室連携暖房モードから浴室循環モードに移行するモードでは、浴室温度が他室温度より高いとき、２室連携暖房モードから浴室循環モードに切り替えられるので、浴室１を速やかに暖房することができる。
【００８２】
（５）浴室循環モードにおいて、浴室温度が他室温度より高い場合には、他室ヒーター２３の出力を浴室ヒーター１２より大きくすることができる。従って、他室１６の暖房速度を向上させることができる。
【００８３】
（６）２室連携暖房モードにおいて、他室側吹出パネル２４から送風される空気を風向切替部２５のルーバー２６で下方すなわち連通口２８に向かって送風することができる。従って、他室ヒーター２３で加熱された空気を連通口２８から浴室１内に効率的に送風することができる。
【００８４】
（７）２室連携暖房モードにおいて、風路切替ダンパー１１による換気風路１０の開口面積は、換気風路１０と浴室循環風路８の開口面積の総和の１〜２０％としたので、換気風路１０を確保しながら、浴室循環風路８の開口面積を十分に確保することができる。
【００８５】
（８）浴室乾燥モードでは、換気風路１０の開口面積を換気風路１０と浴室循環風路８の開口面積の総和の３分の１以上とすることにより、換気風路１０から換気される風量を増大させることができる。従って、他室１６から浴室１に流れる風量を増大させて、浴室１内の湿度を効率よく下げることができる。
【００８６】
（９）純換気モードでは、換気風路１０の開口面積を、換気風路１０と浴室循環風路８の開口面積の総和の全て、すなわち１００％とすることができるので、第１送風機５から送風される空気のすべてを換気風路１０に案内することができる。従って、浴室１内の換気あるいは湿度の低減を速やかに行うことができる。
【００８７】
（１０）２室独立暖房モードでは、浴室温度が他室温度より低い場合、２室独立暖房モードから２室連携暖房モードに移行することができる。従って、加熱された他室１６の空気を浴室１に送風することにより、浴室１の暖房効率、暖房速度を向上させることができる。
【００８８】
なお、上記実施形態は、以下のように変更してもよい。
【００８９】
・２室連携暖房モードにおいて、換気風路１０の開口面積は、換気風路１０および浴室循環風路８の開口面積の和に対して１０％程度であることが好ましい。すなわち、１〜２０％もしくは５〜１５％の範囲内とすることが望ましい。
【００９０】
・第１筐体３と第２筐体４は、隔壁で仕切られた一体構造としてもよい。すなわち、１つの筐体の中に第１送風機５と第２送風機１５を収納し、第１送風機５と第２送風機１５とを仕切り板により仕切る構成としてもよい。この場合、１つの筐体の中に第１筐体３および第２筐体４が設けられると考えることができる。すなわち、第１筐体３および第２筐体４は仕切り板を共有し、１つの筐体の中で、仕切り板を基準として、一方側が第１筐体３、他方側が第２筐体４となると考えることができる。
【００９１】
・連通口２８は、他室１６の下方に設けられたがらり板以外に、浴室と他室との間の扉の周囲に形成される隙間を利用してもよい。
【００９２】
・浴室乾燥モードでは、浴室１内で衣類を乾燥することもできる。
【００９３】
・第１筐体３と第２筐体４は電気的に接続されていれば、一体でなくてもよく、互いに離れて設けられていてもよい。
【００９４】
以上、本発明に係る浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００９５】
本発明にかかる浴室暖房乾燥機は、浴室内の暖房、換気、浴室内の乾燥（たとえば、洗濯物の乾燥）、浴室に隣接する他室の暖房などに使用可能である。
【符号の説明】
【００９６】
１    浴室
３    第１筐体
４    第２筐体
５    第１送風機
６    浴室側吸込口
７    浴室側吹出口
８    浴室循環風路
９    換気吹出口
１０    換気風路
１１    風路切替ダンパー
１２    浴室ヒーター
１３    浴室温度センサー
１４    制御手段
１５    第２送風機
１６    他室
１７    他室循環風路
１８    他室側吸込口
２０    他室側吹出口
２２    他室温度センサー
２３    他室ヒーター
２４    他室側吹出パネル
２５    風向切替部
２７    操作部
２８    連通口
【図１】
2018141590.tif 000003
【図２】
2018141590.tif 000004
【図３】
2018141590.tif 000005
【図４】
2018141590.tif 000006
【図５】
2018141590.tif 000007
【図６】
2018141590.tif 000008
【図７】
2018141590.tif 000009
【図８】
2018141590.tif 000010
【図９】
2018141590.tif 000011
【図１０】
2018141590.tif 000012
【図１１】
2018141590.tif 000013
【図１２】
2018141590.tif 000014
【図１３】
2018141590.tif 000015
【図１４】
2018141590.tif 000016